(57)【要約】【課題】  任意のカラオケ装置と適宜対応付が可能な電子早見本装置の対応付システムを提供する。【解決手段】  電子早見本装置５０は、所定の接続通知を赤外線によりカラオケ装置１０へ送信する接続通知送信手段８０と、その接続通知送信手段８０により送信される接続通知に応じて電波によりカラオケ装置１０から返信される識別通知に基づいてそのカラオケ装置１０との対応付を行う電子早見本装置側対応付手段８６とを、含み、カラオケ装置１０は、前記接続通知送信手段８０により送信される接続通知に基づいて前記電子早見本装置５０との対応付を行うカラオケ装置側対応付手段８４と、前記接続通知送信手段８０により送信される接続通知に応じて前記識別通知を電波により前記電子早見本装置５０に返信する識別通知送信手段８２とを、含むことから、その電子早見本装置５０を任意のカラオケ装置１０に対して簡便に対応付できる。【選択図】  図４
2006078759.tif 000002
【特許請求の範囲】
【請求項１】
複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、
所定の接続通知を赤外線により前記カラオケ装置へ送信する接続通知送信手段と、
該接続通知送信手段により送信される接続通知に応じて電波により前記カラオケ装置から返信される識別通知に基づいて該カラオケ装置との対応付を行う対応付手段と
を、含むことを特徴とする電子早見本装置。
【請求項２】
前記カラオケ装置との間で電波により時刻同期処理を行う時刻同期処理手段を含むものである請求項１の電子早見本装置。
【請求項３】
前記対応付手段による前記カラオケ装置との対応付に関する履歴を該カラオケ装置へ送信する対応付履歴送信手段を含むものである請求項１又は２の電子早見本装置。
【請求項４】
複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置の前記カラオケ装置への対応付システムであって、
前記電子早見本装置は、
所定の接続通知を赤外線により前記カラオケ装置へ送信する接続通知送信手段と、
該接続通知送信手段により送信される接続通知に応じて電波により前記カラオケ装置から返信される識別通知に基づいて該カラオケ装置との対応付を行う対応付手段と
を、含み、
前記カラオケ装置は、
前記接続通知送信手段により送信される接続通知に基づいて前記電子早見本装置との対応付を行う対応付手段と、
前記接続通知送信手段により送信される接続通知に応じて前記識別通知を電波により前記電子早見本装置に返信する識別通知送信手段と
を、含むことを特徴とする電子早見本装置の対応付システム。
【請求項５】
前記識別通知送信手段は、前記識別通知をブロードキャストにより送信するものである請求項４の電子早見本装置の対応付システム。
【請求項６】
前記電子早見本装置は、前記カラオケ装置との間で電波により時刻同期処理を行う時刻同期処理手段を含むものである請求項４又は５の電子早見本装置の対応付システム。
【請求項７】
前記電子早見本装置は、前記対応付手段による前記カラオケ装置との対応付に関する履歴を該カラオケ装置へ送信する対応付履歴送信手段を含むものである請求項４から６の何れかの電子早見本装置の対応付システム。
【請求項８】
前記カラオケ装置は、前記対応付履歴送信手段により前記電子早見本装置から送信される対応付に関する履歴を記憶する対応付履歴記憶手段を含むものである請求項７の電子早見本装置の対応付システム。
【発明の詳細な説明】
【技術分野】
【０００１】
本発明は、複数の演奏曲のうちから選択された所望の演奏曲を出力させるカラオケ装置を遠隔操作するための電子早見本装置及びその対応付システムに関する。
【背景技術】
【０００２】
複数の演奏曲のうちから選択された所望の演奏曲を出力させる音楽再生装置が知られている。例えば、カラオケボックス等で使用されるカラオケ装置がそれである。斯かるカラオケ装置によれば、予め記憶装置に記憶された複数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置を遠隔操作するために、所定の画像を表示させると共に利用者の接触に応じてそのカラオケ装置への入力を行うタッチパネルディスプレイを備えた電子早見本装置が知られている。例えば、特許文献１に記載された電子目次本機能付きカラオケリモコン装置がそれである。この技術によれば、上記タッチパネルディスプレイに表示される映像を参照しつつ指等の接触（タッチ入力）により簡便に上記カラオケ装置への入力を行うことができる。
【０００４】
【特許文献１】特開２００３−２０２８７２号公報
【０００５】
しかし、前記従来の電子早見本装置において、例えば、無線ＬＡＮ通信等により電波を介して前記カラオケ装置への入力を行う場合には、そのカラオケ装置及び電子早見本装置が用いられている部屋の壁を通過して、隣接する部屋に設置されたカラオケ装置との間で通信が行われるおそれがあった。この弊害を解消するため、互いにＩＤを設定する等して予めカラオケ装置と電子早見本装置とを一対一に対応づけておくことも考えられるが、カラオケボックス等ではカウンタにて任意の電子早見本装置が利用者に渡され、所定の部屋に設置されたカラオケ装置に対して用いられるという利用形態が多いことから、斯かるカラオケ装置と電子早見本装置とを適宜対応付ける技術の開発が求められていた。
【発明の開示】
【発明が解決しようとする課題】
【０００６】
本発明は、以上の事情を背景として為されたものであり、その目的とするところは、任意のカラオケ装置と適宜対応付が可能な電子早見本装置及びその対応付システムを提供することにある。
【課題を解決するための手段】
【０００７】
斯かる目的を達成するために、本第１発明の要旨とするところは、複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置であって、所定の接続通知を赤外線により前記カラオケ装置へ送信する接続通知送信手段と、その接続通知送信手段により送信される接続通知に応じて電波により前記カラオケ装置から返信される識別通知に基づいてそのカラオケ装置との対応付を行う対応付手段とを、含むことを特徴とするものである。
【０００８】
また、前記目的を達成するために、本第２発明の要旨とするところは、複数の演奏曲のうちから選択される所望の演奏曲を出力させるカラオケ装置を遠隔操作するために、所定の画像を表示させると共に利用者の接触に応じて前記カラオケ装置への入力を行うタッチパネルディスプレイを備えた電子早見本装置の前記カラオケ装置への対応付システムであって、前記電子早見本装置は、所定の接続通知を赤外線により前記カラオケ装置へ送信する接続通知送信手段と、その接続通知送信手段により送信される接続通知に応じて電波により前記カラオケ装置から返信される識別通知に基づいてそのカラオケ装置との対応付を行う対応付手段とを、含み、前記カラオケ装置は、前記接続通知送信手段により送信される接続通知に基づいて前記電子早見本装置との対応付を行う対応付手段と、前記接続通知送信手段により送信される接続通知に応じて前記識別通知を電波により前記電子早見本装置に返信する識別通知送信手段とを、含むことを特徴とするものである。
【発明の効果】
【０００９】
このように、前記第１発明によれば、所定の接続通知を赤外線により前記カラオケ装置へ送信する接続通知送信手段と、その接続通知送信手段により送信される接続通知に応じて電波により前記カラオケ装置から返信される識別通知に基づいてそのカラオケ装置との対応付を行う対応付手段とを、含むことから、任意のカラオケ装置に対して簡便に対応付ができることに加え、隣接する部屋に設置されたカラオケ装置との間で誤って対応付が行われるのを好適に防止できる。すなわち、任意のカラオケ装置と適宜対応付が可能な電子早見本装置を提供することができる。
【００１０】
ここで、前記第１発明は、好適には、前記カラオケ装置との間で電波により時刻同期処理を行う時刻同期処理手段を含むものである。このようにすれば、任意のカラオケ装置に対して簡便に時刻同期処理ができるという利点がある。
【００１１】
また、好適には、前記対応付手段による前記カラオケ装置との対応付に関する履歴をそのカラオケ装置へ送信する対応付履歴送信手段を含むものである。このようにすれば、前記カラオケ装置の側で対応付履歴を記憶し、適宜利用することができるという利点がある。
【００１２】
また、前記第２発明によれば、前記電子早見本装置は、所定の接続通知を赤外線により前記カラオケ装置へ送信する接続通知送信手段と、その接続通知送信手段により送信される接続通知に応じて電波により前記カラオケ装置から返信される識別通知に基づいてそのカラオケ装置との対応付を行う対応付手段とを、含み、前記カラオケ装置は、前記接続通知送信手段により送信される接続通知に基づいて前記電子早見本装置との対応付を行う対応付手段と、前記接続通知送信手段により送信される接続通知に応じて前記識別通知を電波により前記電子早見本装置に返信する識別通知送信手段とを、含むことから、その電子早見本装置を任意のカラオケ装置に対して簡便に対応付できることに加え、隣接する部屋に設置されたカラオケ装置との間で誤って対応付が行われるのを好適に防止できる。すなわち、任意のカラオケ装置と適宜対応付が可能な電子早見本装置の対応付システムを提供することができる。
【００１３】
ここで、前記第２発明において、好適には、前記識別通知送信手段は、前記識別通知をブロードキャストにより送信するものである。このようにすれば、実用的な態様で前記電子早見本装置に識別通知を送信できるという利点がある。
【００１４】
また、好適には、前記電子早見本装置は、前記カラオケ装置との間で電波により時刻同期処理を行う時刻同期処理手段を含むものである。このようにすれば、前記電子早見本装置と任意のカラオケ装置との間で簡便に時刻同期処理ができるという利点がある。
【００１５】
また、好適には、前記電子早見本装置は、前記対応付手段による前記カラオケ装置との対応付に関する履歴をそのカラオケ装置へ送信する対応付履歴送信手段を含むものである。このようにすれば、前記カラオケ装置の側で対応付履歴を記憶し、適宜利用することができるという利点がある。
【００１６】
また、好適には、前記カラオケ装置は、前記対応付履歴送信手段により前記電子早見本装置から送信される対応付に関する履歴を記憶する対応付履歴記憶手段を含むものである。このようにすれば、前記カラオケ装置の側で対応付履歴を記憶し、適宜利用することができるという利点がある。
【実施例】
【００１７】
以下、本発明の好適な実施例を図面に基づいて詳細に説明する。
【００１８】
図１は、本発明の電子早見本装置５０が備え付けられるカラオケ装置１０の構成を例示するブロック線図である。この図１に示すように、上記カラオケ装置１０は、ＣＲＴ等の映像表示装置１２と、ディスクプレーヤ１４と、ビデオミキサ１６と、アンプミキサ１８と、スピーカ２０と、マイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン４８や電子早見本装置５０等の入力装置からのリモコン信号を受信するためのリモコン受信部４２と、その電子早見本装置５０等との間で無線ＬＡＮ通信を行うための無線ＬＡＮ通信部４４とを、備えて構成されている。
【００１９】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記ディスクプレーヤ１４を制御して所定の背景映像を再生させる等の基本的な制御を実行する。
【００２０】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン４８及び電子早見本装置５０が備えられており、前記リモコン受信部４２は、それら入力装置から送信されるリモコン信号を受信して前記ＣＰＵ２６へ供給する。また、前記無線ＬＡＮ通信部４４は、前記電子早見本装置５０との間で無線ＬＡＮ通信を行うことによりその電子早見本装置５０からの選曲入力を受け付けたり、前記カラオケ装置１０から電子早見本装置５０へ所定の処理を実行させるための指令を送信したりというように、電波を介して前記カラオケ装置１０と電子早見本装置５０との間における相互の情報のやりとりを行う。
【００２１】
前記ディスクプレーヤ１４は、利用者が歌詞を参照しながら歌を歌う際に前記映像表示装置１２に表示される背景映像を記憶したＣＤやＤＶＤを再生する背景映像再生装置である。また、前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ディスクプレーヤ１４により再生される背景映像とを合成して前記映像表示装置１２に表示させる映像合成装置である。
【００２２】
前記シンセサイザ４０は、前記ハードディスク３２から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに応じて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００２３】
前記ハードディスク３２には、カラオケ演奏曲それぞれのタイトル情報、演奏情報、及び歌詞情報等から成り選曲番号により識別されるカラオケ情報を記憶するカラオケデータベースが設けられている。前記モデム３４は、前記カラオケ装置１０を公衆電話回線等による通信回線４６に接続するための装置である。カラオケボックス等の店舗にそれぞれ備えられた複数のカラオケ装置１０は、上記通信回線４６を介して図示しないカラオケサービス提供会社のセンタ装置に接続されており、それら複数のカラオケ装置１０によって常に新しい曲が演奏可能とされるように、随時新曲のカラオケ情報が上記センタ装置から上記通信回線４６を介してダウンロードされ、前記ハードディスク３２のカラオケデータベースに記憶されるようになっている。すなわち、前記カラオケ装置１０は、電気通信回線を通じて各種情報の送受信を実行し得る通信カラオケ装置である。
【００２４】
図２は、前記電子早見本装置５０の外観を大まかに示す斜視図である。この図２に示すように、前記電子早見本装置５０は、前記カラオケ装置１２を遠隔操作するために、所定の画像（映像）を表示させると共に利用者の接触に応じてそのカラオケ装置１２への入力を行うタッチパネルディスプレイ５２を備えている。この電子早見本装置５０は、クレイドル５４に取り付けられた状態又はそのクレイドル５４から取り外された状態で用いられ、取り付けられた状態においては、そのクレイドル５４及び図示しないＬＡＮケーブルを介して前記カラオケ装置１０に接続されるようになっている。
【００２５】
図３は、前記電子早見本装置５０の構成を説明するブロック線図である。この図３に示すように、前記電子早見本装置５０は、タッチパネルディスプレイ５２に所定の映像を表示させる表示装置５６と、その表示装置５６による表示を制御する表示制御部５８と、利用者の指等によるタッチパネルディスプレイ５２への接触により入力を行うタッチパネル６０と、そのタッチパネル６０による入力を制御する入力制御部６２と、中央演算処理装置であるＣＰＵ６４と、ＲＯＭ６６と、ＲＡＭ６８と、フラッシュＲＯＭ等の記憶部７０と、インターフェイス７２と、リモコン送信部７４と、無線ＬＡＮ通信部７６とを、備えて構成されている。また、上記記憶部７０には、前記カラオケ装置１０のカラオケデータベースに記憶された多数のカラオケ情報それぞれに対応して曲名、アーティスト名、歌詞の歌い出し部分等の選曲案内情報を選曲番号毎に記憶する演奏曲データベース等が設けられている。
【００２６】
上記ＣＰＵ６４は、上記ＲＡＭ６８の一時記憶機能を利用しつつ上記ＲＯＭ６６に予め記憶された所定のプログラムに基づいて電子情報を処理・制御する所謂コンピュータであり、上記記憶部７０から選曲案内情報を読み出し、上記表示装置５６を介してその選曲案内情報に基づく所定の案内映像を上記タッチパネルディスプレイ５２に表示させたり、そのタッチパネルディスプレイ５２に表示された案内映像に従って上記タッチパネル６０による選曲入力が行われた場合、所定のカラオケ演奏曲を予約するための選曲信号（選曲予約信号）を上記無線ＬＡＮ通信部７６等を介して前記カラオケ装置１０に送信する等の基本的な制御に加えて、任意のカラオケ装置１０への対応付制御（くくりつけ制御）を実行する。
【００２７】
図４は、前記カラオケ装置１０のＣＰＵ２６及び電子早見本装置５０のＣＰＵ６４に備えられた制御機能の要部を示す機能ブロック線図であり、その電子早見本装置５０の前記カラオケ装置１０への対応付システム７８を説明する図である。この図４において、カラオケ装置側対応付手段８２、識別通知送信手段８４、及び対応付履歴記憶手段９２は、前記カラオケ装置１０のＣＰＵ２６に機能的に備えられたものであり、接続通知送信手段８０、電子早見本装置側対応付手段８６、時刻同期処理手段８８、及び対応付履歴送信手段９０は、前記電子早見本装置５０のＣＰＵ６４に機能的に備えられたものである。
【００２８】
接続通知送信手段８０は、所定の接続通知を前記リモコン送信部７４から赤外線により前記カラオケ装置１０へ送信する。前記電子早見本装置５０は、それぞれ個別のシリアル番号を有しており、上記接続通知送信手段８０は、例えば、そのシリアル番号（例えば、下４桁）及び所定の接続コードを含む信号を上記接続通知として前記カラオケ装置１０へ送信する。前記電子早見本装置５０が何れのカラオケ装置１０とも対応付けられていない場合、前記タッチパネルディスプレイ５２には、図５に示すようなくくりつけ画面が表示される。このくくりつけ画面の指示に従いスタートボタンが利用者の指等の接触にて押されることにより、上記接続通知がリモコン信号として前記カラオケ装置１０へ送信される。このように、上記接続通知をリモコン信号（赤外線）により送信することで、壁等を隔てて設置された対応付を所望されないカラオケ装置１０にその接続通知が受け付けられるのを防止できる。なお、本実施例において、前記リモコン送信部７４は、専らこの接続通知の送信及び非常用の通信手段として用いられ、通常の選曲制御等における前記カラオケ装置１０との間の通信は、前記無線ＬＡＮ通信部７６等を介した無線ＬＡＮ通信により行われる。
【００２９】
カラオケ装置側対応付手段８２は、上記接続通知送信手段８０により送信されて前記リモコン受信部４２により受信される上記接続通知に基づいて、その接続通知を発信した電子早見本装置５０との対応付を行う。例えば、上記接続通知に含まれるシリアル番号に基づいて、その接続通知を発信した電子早見本装置５０に割り当てるＩＰアドレスを自動生成し、そのＩＰアドレスを前記ＲＡＭ３０等に記憶する。
【００３０】
識別通知送信手段８４は、前記接続通知送信手段８０により送信されて前記リモコン受信部４２により受信される前記接続通知に応じて、所定の識別通知を前記無線ＬＡＮ通信部４４から電波により前記電子早見本装置５０に送信（返信）する。例えば、上記カラオケ装置側対応付手段８２により前記電子早見本装置５０に割り当てられたＩＰアドレス、前記カラオケ装置１０の自局ＩＰアドレス、自局シリアル番号、及び前記接続通知にて通知された前記電子早見本装置５０のシリアル番号を含む信号を上記識別通知として前記電子早見本装置５０へ送信する。好適には、不特定多数の電子早見本装置５０に向かって電波を送信するブロードキャストにより上記識別通知を送信する。この識別通知には、前記接続通知にて通知された前記電子早見本装置５０のシリアル番号が含まれているため、ブロードキャストにより送信してもそのシリアル番号に対応する電子早見本装置５０のみが上記識別通知を受け付けるようにすることが可能である。
【００３１】
電子早見本装置側対応付手段８６は、上記識別通知送信手段８４により送信されて前記無線ＬＡＮ通信部７６により受信される上記識別通知に基づいて、その識別通知を発信したカラオケ装置１０との対応付を行う。例えば、上記識別通知にて通知された情報すなわち前記電子早見本装置５０に割り当てられたＩＰアドレス及び前記カラオケ装置１０の自局ＩＰアドレスを前記ＲＡＭ６８等に記憶する。このようにして、前記カラオケ装置１０と電子早見本装置５０との間で相互にＩＰアドレスが交換されることで、他の機器との間で誤って通信が行われることが防止され、それらカラオケ装置１０と電子早見本装置５０との間で好適に無線ＬＡＮ通信を実行できるようになる。
【００３２】
時刻同期処理手段８８は、前記カラオケ装置１０との間で電波により時刻同期処理を行う。すなわち、前記無線ＬＡＮ通信部７６等を介した無線ＬＡＮ通信により前記カラオケ装置１０の内部時計における時刻に関する情報を取得し、その情報に基づいて前記電子早見本装置５０の内部時計における時刻あわせを実行する。この時刻同期処理は、例えば、前記くくりつけ制御による前記カラオケ装置１０及び電子早見本装置５０の対応付（くくりつけ）の確認として行われる。
【００３３】
対応付履歴送信手段９０は、前記対応付手段８６による前記カラオケ装置１０との対応付に関する履歴をそのカラオケ装置１０へ送信する。例えば、前記電子早見本装置５０に割り当てられたＩＰアドレス、その電子早見本装置５０のシリアル番号（例えば、下４桁）、ＭＡＣアドレス、通信ソフトのバージョン、及び設定状況の諸情報等を含むリクエストナンバーファイルを生成して、無線ＬＡＮ通信により前記カラオケ装置１０へ送信する。
【００３４】
対応付履歴記憶手段９２は、上記対応付履歴送信手段９０により前記電子早見本装置５０から送信される対応付に関する履歴を前記ハードディスク３２等の記憶装置や、前記通信回線４６を介して接続された図示しないカラオケサービス提供会社のセンタ装置の記憶装置等に記憶する。例えば、前記電子早見本装置５０から無線ＬＡＮ通信により送信されるリクエストナンバーファイルに基づいて自動生成される接続情報を、前記対応付に関する履歴（ログ）として記憶する。この接続情報は、前記カラオケ装置１０やカラオケサービス提供会社のセンタ装置等における統計処理等のために適宜利用される。
【００３５】
図６は、前記電子早見本装置５０のＣＰＵ６４による任意のカラオケ装置１０への対応付制御（くくりつけ制御）の要部を説明するフローチャートであり、所定の周期で繰り返し実行されるものである。
【００３６】
先ず、ステップ（以下、ステップを省略する）ＳＡ１において、図５に示すようなくくりつけ画面の指示に従いスタートボタンが利用者の指等の接触にて押されたか否かが判断される。このＳＡ１の判断が否定される場合には、ＳＡ１の判断が繰り返されることにより待機させられるが、ＳＡ１の判断が肯定される場合には、前記接続通知送信手段８０の動作に対応するＳＡ２において、前記接続通知が前記リモコン送信部７４から赤外線により前記カラオケ装置１０へ送信される。次に、ＳＡ３において、ＳＡ２にて送信された接続通知に応じて前記カラオケ装置１０から電波により前記識別通知が返信され、前記無線ＬＡＮ通信部７６により受信されたか否かが判断される。このＳＡ３の判断が否定される場合には、ＳＡ４において、ＳＡ２にて前記接続通知が送信されてから５秒経過したか否かが判断される。このＳＡ４の判断が否定される場合には、ＳＡ３以下の処理が再び実行されるが、ＳＡ４の判断が肯定される場合には、ＳＡ１以下の処理が再び実行される。ＳＡ３の判断が肯定される場合、すなわちＳＡ２にて送信された接続通知に応じて前記カラオケ装置１０から返信される前記識別通知が受信されたと判断される場合には、前記電子早見本装置側対応付手段８６の動作に対応するＳＡ５において、前記識別通知に含まれるカラオケ装置１０の自局ＩＰアドレス及びシリアル番号等の情報が取得され、そのカラオケ装置１０との対応付が行われる。次に、前記時刻同期処理手段８８の動作に対応するＳＡ６において、前記カラオケ装置１０との間で無線ＬＡＮ通信により時刻同期処理が行われる。次に、前記対応付履歴送信手段９０の動作に対応するＳＡ７において、ＳＡ５にて実行された前記カラオケ装置１０との対応付に関する履歴であるリクエストナンバーファイルが自動生成され、対応付の対象であるカラオケ装置１０へ送信された後、本ルーチンが終了させられる。
【００３７】
図７は、前記カラオケ装置１０のＣＰＵ２６による前記電子早見本装置５０との対応付制御（くくりつけ制御）の要部を説明するフローチャートであり、所定の周期で繰り返し実行されるものである。
【００３８】
先ず、ＳＢ１において、前記電子早見本装置５０から赤外線により前記接続通知が受信されたか否かが判断される。このＳＢ１の判断が否定される場合には、それをもって本ルーチンが終了させられるが、ＳＢ１の判断が肯定される場合には、前記カラオケ装置側対応付手段８４の動作に対応するＳＢ２において、受信された前記接続通知に含まれるシリアル番号に基づいて、その接続通知を発信した電子早見本装置５０に割り当てるＩＰアドレスが生成され、その電子早見本装置５０との対応付が行われる。次に、前記識別通知送信手段８２の動作に対応するＳＢ３において、前記接続通知に応じて、ＳＢ２にて生成されたＩＰアドレス等を含む前記識別通知が前記無線ＬＡＮ通信部４４から電波により前記電子早見本装置５０へ送信された後、本ルーチンが終了させられる。
【００３９】
図８は、前記カラオケ装置１０のＣＰＵ２６による前記電子早見本装置５０との対応付履歴記憶制御の要部を説明するフローチャートであり、所定の周期で繰り返し実行されるものである。
【００４０】
先ず、ＳＣ１において、前記電子早見本装置５０から対応付に関する履歴であるリクエストナンバーファイルが電波により送られてきて受信されたか否かが判断される。このＳＣ１の判断が否定されるうちは、ＳＣ１の判断が繰り返されることにより待機させられるが、ＳＣ１の判断が肯定される場合には、前記対応付履歴記憶手段９２の動作に対応するＳＣ２において、受信されたリクエストナンバーファイルに基づいて自動生成される接続情報が、前記対応付に関する履歴として記憶された後、本ルーチンが終了させられる。
【００４１】
このように、本実施例によれば、所定の接続通知を赤外線により前記カラオケ装置１０へ送信する接続通知送信手段８０（ＳＡ２）と、その接続通知送信手段８０により送信される接続通知に応じて電波により前記カラオケ装置１０から返信される識別通知に基づいてそのカラオケ装置１０との対応付を行う電子早見本装置側対応付手段８６（ＳＡ５）とを、含むことから、任意のカラオケ装置１０に対して簡便に対応付ができることに加え、隣接する部屋に設置されたカラオケ装置１０との間で誤って対応付が行われるのを好適に防止できる。すなわち、任意のカラオケ装置１０と適宜対応付が可能な電子早見本装置５０を提供することができる。
【００４２】
また、前記電子早見本装置５０は、所定の接続通知を赤外線により前記カラオケ装置１０へ送信する接続通知送信手段８０と、その接続通知送信手段８０により送信される接続通知に応じて電波により前記カラオケ装置１０から返信される識別通知に基づいてそのカラオケ装置１０との対応付を行う電子早見本装置側対応付手段８６とを、含み、前記カラオケ装置１０は、前記接続通知送信手段８０により送信される接続通知に基づいて前記電子早見本装置５０との対応付を行うカラオケ装置側対応付手段８４（ＳＢ２）と、前記接続通知送信手段８０により送信される接続通知に応じて前記識別通知を電波により前記電子早見本装置５０に返信する識別通知送信手段８２（ＳＢ３）とを、含むことから、その電子早見本装置５０を任意のカラオケ装置１０に対して簡便に対応付できることに加え、隣接する部屋に設置されたカラオケ装置１０との間で誤って対応付が行われるのを好適に防止できる。すなわち、任意のカラオケ装置１０と適宜対応付が可能な電子早見本装置５０の対応付システム７８を提供することができる。
【００４３】
また、前記識別通知送信手段８２は、前記識別通知をブロードキャストにより送信するものであるため、実用的な態様で前記電子早見本装置５０に識別通知を送信できるという利点がある。
【００４４】
また、前記電子早見本装置５０は、前記カラオケ装置１０との間で電波により時刻同期処理を行う時刻同期処理手段８８（ＳＡ６）を含むものであるため、前記電子早見本装置５０と任意のカラオケ装置１０との間で簡便に時刻同期処理ができるという利点がある。
【００４５】
また、前記電子早見本装置５０は、前記電子早見本装置側対応付手段８６による前記カラオケ装置１０との対応付に関する履歴をそのカラオケ装置１０へ送信する対応付履歴送信手段９０（ＳＡ７）を含むものであるため、前記カラオケ装置１０の側で対応付履歴を記憶し、適宜利用することができるという利点がある。
【００４６】
また、前記カラオケ装置１０は、前記対応付履歴送信手段９０により前記電子早見本装置５０から送信される対応付に関する履歴を記憶する対応付履歴記憶手段９２（ＳＣ２）を含むものであるため、前記カラオケ装置１０の側で対応付履歴を記憶し、適宜利用することができるという利点がある。
【００４７】
以上、本発明の好適な実施例を図面に基づいて詳細に説明したが、本発明はこれに限定されるものではなく、更に別の態様においても実施される。
【００４８】
例えば、前述の実施例では、無線ＬＡＮ通信を行うための前記カラオケ装置１０と電子早見本装置５０との対応付制御について説明したが、本発明はこれに限定されるものではなく、例えば、ブルートゥースモジュールによる通信等、他の方式の通信を行うための対応付制御に適用されても構わない。
【００４９】
また、前述の実施例において、前記電子早見本装置５０は、前記くくりつけ制御及び非常時の他は、専ら電波により前記無線ＬＡＮ通信部７６を介して前記カラオケ装置１０との間での通信を行うものであったが、例えば、適宜赤外線により前記リモコン送信部７４を介して選曲制御等を行うものであっても当然に構わない。また、無線ＬＡＮ通信部４４が前記カラオケ装置１０に組み込まれた態様に限られず、有線ＬＡＮインターフェイス等の外部の無線ＬＡＮアダプタを用いる構成であっても構わない。
【００５０】
その他、一々例示はしないが、本発明はその趣旨を変更しない範囲内において種々の変更が加えられて実施されるものである。
【図面の簡単な説明】
【００５１】
【図１】本発明の電子早見本装置が備え付けられるカラオケ装置の構成を例示するブロック線図である。
【図２】本発明の一実施例である電子早見本装置の外観を大まかに示す斜視図である。
【図３】図２の電子早見本装置の構成を説明するブロック線図である。
【図４】図１のカラオケ装置のＣＰＵ及び図３の電子早見本装置のＣＰＵに備えられた制御機能の要部を示す機能ブロック線図であり、その電子早見本装置のカラオケ装置への対応付システムを説明する図である。
【図５】図３の電子早見本装置が何れのカラオケ装置とも対応付けられていない場合にタッチパネルディスプレイに表示されるくくりつけ画面を例示する図である。
【図６】図３の電子早見本装置のＣＰＵによる任意のカラオケ装置への対応付制御の要部を説明するフローチャートである。
【図７】図１のカラオケ装置のＣＰＵによる電子早見本装置との対応付制御の要部を説明するフローチャートである。
【図８】図１のカラオケ装置のＣＰＵによる電子早見本装置との対応付履歴記憶制御の要部を説明するフローチャートである。
【符号の説明】
【００５２】
１０：カラオケ装置
５０：電子早見本装置
５２：タッチパネルディスプレイ
７８：電子早見本装置の対応付システム
８０：接続通知送信手段
８２：識別通知送信手段
８４：カラオケ装置側対応付手段
８６：電子早見本装置側対応付手段
８８：時刻同期処理手段
９０：対応付履歴送信手段
９２：対応付履歴記憶手段
【図１】
2006078759.tif 000003
【図２】
2006078759.tif 000004
【図３】
2006078759.tif 000005
【図４】
2006078759.tif 000006
【図５】
2006078759.tif 000007
【図６】
2006078759.tif 000008
【図７】
2006078759.tif 000009
【図８】
2006078759.tif 000010